【事件の表示】
　平成　９年特許願第２４９８３５号「油中水滴型乳化組成物」拒絶査定不服審判事件〔平成１１年　３月１６日出願公開、特開平１１−　７１２２７〕について、次のとおり審決する。
【結　論】
　本件審判の請求は、成り立たない。
【理　由】
 １．手続の経緯・本願発明 
　本願は、平成９年８月２９日の出願であって、その請求項１に係る発明は平成１８年１０月２日付けの手続補正書の特許請求の範囲の請求項１に記載された事項により特定される次のとおりのものである。（以下、「本願発明」という。） 
　
 「【請求項１】　下記一般式（１）
【化１】（構造式略）
　
（但し、一般式の中で、ｎは６〜３２で示される。）で表されるイソ型脂肪酸のコレステロールエステル及び／又は下記一般式（２）
【化２】（構造式略）
　
（但し、一般式の中で、ｎは６〜３２で示される。）で表されるアンテイソ型脂肪酸のコレステロールエステルと、
下記一般式（３）
【化３】（構造式略）
　
（但し、一般式の中で、ｍは０であり、ｘは５〜５０であり、ｙは１〜３０であり、ｚは２０〜２００であり、ｐは２〜２０であり、ｑは１〜５であり、ｒは２〜２０であり、ｎは２〜２０で示される。）で表されるポリオキシアルキレンアルキル共変性オルガノポリシロキサン及び／又は下記一般式（４）
【化４】（構造式略）
　
（但し、一般式の中で、ｍは０であり、ｓは３００〜７００であり、ｔは１〜１０であり、ｕは１〜５であり、ｖは２０〜３０であり、ｗは２０〜３０で示される。）で表されるポリオキシアルキレン変性オルガノポリシロキサンの群から選ばれる１種以上の変性オルガノポリシロキサンと水溶性塩類を含有することを特徴とする油中水滴型乳化組成物。」 
　
 ２．引用例の記載の概要 
　当審で通知した拒絶の理由に引用された刊行物である引用例Ａ〜Ｄには以下の事項が記載されている。
　
引用例Ａ；特開平８−１９８７４０号公報
　
(a-1) 「【請求項１】  揮発性ジメチルポリシロキサン、塩類、一般式（Ｉ）
【化１】（構造式略）
（式中、ｘが５〜５０であり、ｙが１〜３０であり、ｚが２０〜２００であり、ｐが２〜２０であり、ｑが１〜５であり、ｒが２〜２０であり、ｎが２〜２０であり、ｍが０〜５である）で表されるポリオキシアルキレン−アルキル共変性オルガノポリシロキサン、一般式（ＩＩ）
【化２】（構造式略）
（式中、ｓが５０〜７００であり、ｔが１〜１０であり、ｕが１〜５であり、ｖが５〜３０であり、ｗが０〜３０であり、ｍが０〜５である）で表されるポリオキシ
アルキレン変性オルガノポリシロキサンとを含有してなることを特徴とする油中水滴型乳化組成物。」（【特許請求の範囲】、２頁１〜２欄）
　
(a-2)「従来、油中水滴型乳化物は、撥水性、耐水・耐汗性が高く、また、水中油滴型乳化組成物よりも皮膚の保護や柔軟性の維持などに優れ、ハンドクリーム、メイクアップ化粧料、サンケア化粧料、…の製品によく使用されている。」（【０００２】、２頁１欄４７〜同頁２欄３５行）
　
(a-3)「塩類は室温下で水に容易に溶解する塩であれば良い。例えば、塩化ナトリウム、塩化マグネシウム、硫酸ナトリウム、硝酸カリウム等の無機塩類、クエン酸ナトリウム、酢酸カリウム、琥珀酸ナトリウム、アスパラギン酸ナトリウム等の有機酸塩類、塩酸エタノールアミン、硝酸アンモニウム、塩酸アルギニン等の有機塩基の塩等があげられる。」（【００１５】、４頁５欄３８〜４４行）
　
(a-4)「保存安定性に優れ、使用時に過度のべたつきや油っぽさがなく、さっぱりとした使用感を与えると共に、耐水・耐汗性にも優れる」（【００１６】、５頁５欄４７〜５０行、及び実施例１，３〜７、６〜９頁）
　
(a-5)「本発明の油中水滴型乳化組成物には上記の必須構成成分に加えて必要に応じ、多価アルコール、アミノ酸などの保湿剤、糖類、香料…等を本発明の効果が損なわれない範囲で適宜配合し得る。」（【００１７】、４頁６欄７〜１４行）
　
引用例Ｂ；特開平９−１２４４５６号公報
　
(b-1)「【請求項１】  一般式（１）
【化１】（構造式略）
（但し、ｎは６〜２６で示される。）および一般式（２）
【化２】（構造式略）
（但し、ｎは６〜２６で示される。）で表されるイソ型脂肪酸および／またはアンテイソ型脂肪酸のコレステロールエステル、ならびにスフィンゴ脂質類より選ばれる少なくとも一種を必須成分とすることを特徴とする皮膚化粧料。」（【特許請求の範囲】の【請求項１】、２頁１〜２欄）
　
(b-2)「特許請求の範囲の請求項１記載のイソ型脂肪酸および／またはアンテイソ型脂肪酸のコレステロールエステルが、荒れ肌改善効果、角質層改善効果、美肌効果（湿潤性、平滑性、弾力性）を有することを示す試験結果」（【００５２】、７頁１２欄５０行〜８頁１３〜１４行、表７）
　
引用例Ｃ；特開平６−２９３６１４号公報
　
(c-1)「〈ＮＨ〉下式Iで表されるイソ型脂肪酸３０〜４５％、下式IIで表されるアンテイソ型脂肪酸３０〜５０％、下式IIIで表されるノルマル型脂肪酸１０〜３０％を含有し、上記イソ型脂肪酸とアンテイソ型脂肪酸との合計量が少なくとも６０％であり且つヒドロキシ脂肪酸の含有量が１０％未満である。
…
式Ｉ：イソ型脂肪酸　　　　CH3-CH(CH3)-(CH2)n-COOH（ｎ＝６〜２６）
　
式II：アンテイソ型脂肪酸　CH3CH2-CH(CH3)-(CH2)n-COOH（ｎ＝６〜２６）
　
式III：ノルマル型脂肪酸　　CH3-(CH2)n-COOH（ｎ＝８〜２８）」（【００１８】〜【００２０】、３頁４欄３７行〜４頁４〜５欄１４行）
　
(c-2)「ＮＨのコレステロールエステルは皮膚になじみ易く、しかも皮膚に吸収され易く皮膚上になんらベタツキを残さない」（【００３７】、６頁９欄１８〜２０行）
　
引用例Ｄ；特開平９−１３２５１２号公報
　
(d-1)「【請求項１】ステロール脂肪酸エステルを必須成分とするラメラ構造体。
【請求項２】ステロール脂肪酸エステルが、…非ヒドロキシラノリン脂肪酸コレステリル、…である請求項１に記載のステロール脂肪酸エステルを必須成分とするラメラ構造体。」（【特許請求の範囲】、２頁１欄２〜１２行）
　
(d-2)「本発明において、”非ヒドロキシラノリン脂肪酸”とは、具体的には、下記のイソ型脂肪酸Ｉ：３０〜４５重量％、アンテイソ型脂肪酸II：３０〜５０重量％及びノルマル型脂肪酸III：１０〜３０重量％を含み、上記イソ型脂肪酸Ｉとアンテイソ型脂肪酸IIの合計量が少なくとも６０重量％であり、かつ、ヒドロキシ脂肪酸の含有量が１０重量％未満である。
…
＊イソ型脂肪酸Ｉ
CH3-CH(CH3)-(CH2)n-COOH（ｎ＝６〜２６）；
＊アンテイソ型脂肪酸II
CH3CH2-CH(CH3)-(CH2)n-COOH（ｎ＝６〜２６）。
＊ノルマル型脂肪酸III
CH3-(CH2)n-COOH（ｎ＝８〜２８）」（【００２０】〜【００２２】、３頁３欄４７行〜同頁４欄９行）
　
(d-3)「ラメラ構造体は、優れた角質水分含量保持能に基づく保湿作用を有し、これを配合することにより保湿効果および荒れ肌改善効果に優れた化粧料を得ることができる。」（【００３４】、４頁５欄２６〜２９行）
　
(d-4)「『実施例８の「非ヒドロキシラノリン脂肪酸コレステリル１０．０重量％を配合した」ファンデーションが使用感が良好で、優れた保湿効果及び保湿持続効果を示した。』ことの試験例５」（【００７９】〜【００８３】、９頁１５欄下から３行〜１０頁１８欄２行）
　
 ３．対比判断
　本願発明と引用例Ａとを対比する。
　上記引用例Ａの「塩類」は室温下で水に容易に溶解する塩であり（摘記事項(a-3)）、一般式（I）、(II）（摘記事項(a-1)）は各々本願発明の一般式（３）、(４）で示される化合物と重複するものを含むから、上記引用例Ａの「油中水滴型乳化組成物」と、本願発明の油中水滴型乳化組成物とを対比すると、両者は、
 「一般式（３）（式略）で表されるポリオキシアルキレン−アルキル共変性オルガノポリシロキサン、及び一般式（４）（式略）で表されるポリオキシアルキレン変性オルガノポリシロキサンと水溶性塩類を含有する油中水滴型乳化組成物」 である点で一致し、本願発明が「イソ型脂肪酸(1)および／またはアンテイソ型脂肪酸(2)
『イソ型脂肪酸　CH3-CH(CH3)-(CH2)n-COOH（ｎ＝６〜３２） (1)
　アンテイソ型脂肪酸　CH3CH2-CH(CH3)-(CH2)n-COOH（ｎ＝６〜３２）　(2)』のコレステロールエステル」を含むのに対し、引用例Ａではこの点について記載がない点で相違する。 
　
　以下、相違点について検討する。 
　引用例Ａの剤型である油中水滴型乳化物は、ハンドクリーム、メイクアップ化粧料、サンケア化粧料等の製品に使用され（摘記事項(a-2)）、必要に応じ、多価アルコール、アミノ酸などの保湿剤、糖類、香料などを本発明の効果が損なわれない範囲で適宜配合し得るものである。（摘記事項(a-5)）
　一方、「イソ型脂肪酸(1)および／またはアンテイソ型脂肪酸(2)『イソ型脂肪酸　CH3-CH(CH3)-(CH2)n-COOH（ｎ＝６〜２６）アンテイソ型脂肪酸　CH3CH2-CH(CH3)-(CH2)n-COOH（ｎ＝６〜２６）』のコレステロールエステル」は、引用例Ｂ〜Ｄにみられるように、荒れ肌改善効果、角質層改善効果、美肌効果（湿潤性、平滑性、弾力性）を有すること（摘記事項(b-1),(b-2)）、皮膚になじみ易く、しかも皮膚に吸収され易く皮膚上になんらベタツキを残さないこと（摘記事項(c-1),(c-2)）、及び優れた角質水分含量保持能に基づく保湿作用を有し、これを配合することにより保湿効果および荒れ肌改善効果に優れた化粧料を得ることができ、使用感が良好で、優れた保湿効果及び保湿持続効果を示すこと（摘記事項）(d-1)〜(d-4)）が知られた化粧品原料である。
　そうすると、引用例Ａの油中水滴型乳化組成物において、保湿性等の好ましい性質を付与するために、さらに引用例Ｂ〜Ｄに記載のイソ型脂肪酸および／またはアンテイソ型脂肪酸のコレステロールエステルを配合することは当業者が容易に想到することである。 
　また、引用例Ａの組成物はそれ自体保存安定性に優れたもの（摘記事項(a-4)）であり、かつ、イソ型脂肪酸および／またはアンテイソ型脂肪酸のコレステロールエステルが保湿効果を有することも知られているのであるから、本願発明の高温での保存安定性、優れた保湿性という効果にしても当業者が容易に予測する範囲内のものである。
　
　なお、請求人は平成１８年１０月２日付けの意見書中で「本願発明では、特定のイソ型脂肪酸のコレステロールエステル及び／又はアンテイソ型脂肪酸のコレステロールエステルを用いることで、特定のポリオキシアルキレンアルキル共変性オルガノポリシロキサン又はポリオキシアルキレン変性オルガノポリシロキサンの『いずれか１種のみ』で良好な保存安定性を得ることができるようになったものです。」と述べているが、本願発明はその特許請求の範囲に記載のとおり「特定のポリオキシアルキレンアルキル共変性オルガノポリシロキサン『及び／又は』ポリオキシアルキレン変性オルガノポリシロキサンの１種以上を必須成分として含有する」のであり、「特定のポリオキシアルキレンアルキル共変性オルガノポリシロキサン『及び』ポリオキシアルキレン変性オルガノポリシロキサンの１種以上、すなわちポリオキシアルキレンアルキル共変性オルガノポリシロキサンとポリオキシアルキレン変性オルガノポリシロキサンとを『組み合わせて配合する』」場合を含むものであるから、上記請求人の主張は採用できない。
　
 ４．むすび 
　以上のとおりであるから、本願発明は引用例Ａ〜Ｄに記載された発明に基づいて、当業者が容易に発明をすることができたものであるから、特許法第２９条第２項の規定により特許を受けることができない。 
　よって、結論のとおり審決する。